(57)【要約】【課題】伸縮足場等に設けられている伸縮機構に対して好適に採用可能なロック装置１において、操作が容易であると共に、小型化、構造簡潔化、低コスト化等を図る。【解決手段】ストッパ部材１０とブラケット部材１１とバネ１２と操作部材１３とを有し、ブラケット部材１１はストッパケース２４と取付フランジ部２５とを有し、ストッパケース２４のケース底部２４ｂにストッパ通孔２６が形成され、取付フランジ部２５の根本部にカム座３５が形成され、ストッパ部材１０と操作部材１３とは回転自在に連結され、操作部材１３の連結部分に、カム座３５と当接するカム作用面４２ａを有した落ち込み用段部４２が設けられている。【選択図】図１
2008025192.tif 000002
【特許請求の範囲】
【請求項１】
相対的に伸縮自在に組み合わされた一対の伸縮部材（３，４）を有する伸縮機構（５）に対して両伸縮部材（３，４）を所定の伸縮位置で固定又は固定解除すべく設けるロック機構において、
一方の伸縮部材（４）に対して圧接と離反とを行うストッパ部材（１０）と、
他方の伸縮部材（３）に取り付けられた状態で前記ストッパ部材（１０）を圧接ポジションと離反ポジションとの間で移動自在に保持するブラケット部材（１１）と、
このブラケット部材（１１）に保持されたストッパ部材（１０）を離反ポジションから圧接ポジションへ向く方向に付勢するバネ（１２）と、
前記ストッパ部材（１０）の前記移動方向に前記ストッパ部材（１０）と一体的に移動可能で、しかも、この移動方向に平行な軸線回りで前記ストッパ部材（１０）に対して回転可能に連結され、かつ、前記ブラケット部材（１１）に前記軸線回りで回動操作可能に組み付けられた操作部材（１３）とを有し、
前記ブラケット部材（１１）と前記操作部材（１３）とには、前記操作部材（１３）を回動操作することによって、前記ストッパ部材（１０）を前記圧接ポジションと前記離反ポジションとに切り替え保持させるためのカム座（３５）とカム作用面（４２ａ）とが形成してあることを特徴とする伸縮機構のロック装置。
【請求項２】
前記ブラケット部材（１１）は、ストッパ部材（１０）をガタツキのない嵌合状態に収納するストッパケース（２４）と、このストッパケース（２４）のケース口部（２４ｃ）から側方へ向けて張出形成された伸縮部材（３）への取付フランジ部（２５）とを有し、且つストッパケース（２４）のケース底部（２４ｂ）にはストッパ部材（１０）の圧接側端部（１７）を出退自在にさせるストッパ通孔（２６）が形成されていると共に、ストッパケース（２４）から取付フランジ部（２５）が張り出す根本部には前記操作部材（１３）を前記ストッパ部材（１０）の圧接ポジションと離反ポジションとに切り替えるカム座（３５）が形成されており、
また、前記ストッパ部材（１０）と操作部材（１３）とはブラケット部材（１１）のストッパケース（２４）に対してケース口部（２４ｃ）内を通る領域で回転自在に連結されており、このうち操作部材（１３）におけるストッパ部材（１０）向けの連結部分には、所定角度の回動後と回動前とで前記ケース口部（２４ｃ）に対する嵌合と非嵌合とを切替可能とする落ち込み用段部（４２）が設けられていると共に、この落ち込み用段部（４２）の側縁にケース口部（２４ｃ）の前記カム座（３５）と当接するカム作用面（４２ａ）が形成されていることを特徴とする請求項１に記載の伸縮機構のロック装置。
【請求項３】
前記ストッパ部材（１０）には側面を貫通する状態でバネ（１２）を嵌め込むバネ収容部（２０）が設けられ、
前記ブラケット部材（１１）にはストッパ部材（１０）の前記バネ収容部（２０）を通り抜ける状態でバネ（１２）の後端部を受けるバネ受け部材（３０）が設けられていると共に、ケース側面（２４ａ）にはバネ（１２）を装着するための切欠（２７）が形成されていることを特徴とする請求項１又は２に記載の伸縮機構のロック装置。
【請求項４】
前記ブラケット部材（１１）は、板素材の中央部をコ字状に折曲し更に両端部をそれぞれ外フランジ状に折曲することによって全体が断面ハット形に形成されたものであって、上記コ字状の折曲部分でストッパケース（２４）が形成され上記フランジ状折曲部分で一対の取付フランジ部（２５）が形成されていることを特徴とする請求項２に記載の伸縮機構のロック装置。
【発明の詳細な説明】
【技術分野】
【０００１】
本発明は、伸縮足場などに設けられている伸縮機構に対して好適に採用可能なロック装置に関するものである。
【背景技術】
【０００２】
一対の足場板本体を足場板の長手方向で相対的に伸縮自在にした伸縮足場が公知である（例えば、特許文献１等参照）。このような伸縮足場をはじめとして、一対の伸縮部材を相対的に伸縮させる機構（以下「伸縮機構」と言う）を具備したものでは、一方の伸縮部材にその長手方向に沿ってラックを設け、他方の伸縮部材には、ラックに係脱自在に噛合するストッパ部材を設けて、これらラックとストッパ部材との係脱によって両伸縮部材間の長さ調節や調節長さの固定を行わせるロック装置が採用されている。
この種のロック装置では、ストッパ部材をラックから離脱させたときに、ストッパ部材を引き出すためのハンドルが操作者へ向けた手前側へ移動することになる。そこで、このときの移動でハンドルが伸縮部材の側面から甚だしく突出することがないように、このハンドルのまわりをハウジングケースで取り囲むようにし、このハウジングケースごと、ロック装置全体を伸縮部材に埋め込むような構造にすることがあった（上記特許文献１中にて「ストッパ取付具１２」として記載されているもの）。
【０００３】
このハウジングケースは、伸縮部材への取り付けの役目を兼ねさせるために側方へ向けてフランジ部を張出形成させたものであり、またストッパ部材の移動をガイドしたりバネを収納させたりするための筒状の支持部を底方へ突設させたもので、その全体がダイキャスト等による一体成型物としてあった。
【特許文献１】特許第２６０１６３２号公報
【発明の開示】
【発明が解決しようとする課題】
【０００４】
上記した従来のロック装置では、ストッパ部材をラックから離脱させる操作のため、ハウジングケース内に収納されているハンドルを摘んで一旦、手前側へ前記バネに抗して引き出してから、その状態でさらに回動させるという２段操作を行う必要があり、操作性に難点があった。
またハウジングケースがダイキャスト製であったことからロック装置として大型化、重量化の傾向があり、また高コスト化にも繋がっていた。
本発明は、上記事情に鑑みてなされたものであって、伸縮足場などに設けられている伸縮機構に対して好適に採用可能なロック装置において、操作が容易であると共に、小型化、構造簡潔化、低コスト化等が図れるようにした伸縮機構のロック装置を提供することを目的とする。
【課題を解決するための手段】
【０００５】
前記目的を達成するために、本発明は次の手段を講じた。
即ち、本発明に係る伸縮機構のロック装置は、相対的に伸縮自在に組み合わされた一対の伸縮部材を有する伸縮機構に対して両伸縮部材を所定の伸縮位置で固定又は固定解除すべく設けるものであって、一方の伸縮部材に対して圧接と離反とを行うストッパ部材と、他方の伸縮部材に取り付けられた状態で上記ストッパ部材を圧接ポジションと離反ポジションとの間で移動自在に保持するブラケット部材と、このブラケット部材に保持されたストッパ部材を離反ポジションから圧接ポジションへ向く方向に付勢するバネと、前記ストッパ部材の前記移動方向に前記ストッパ部材と一体的に移動可能で、しかも、この移動方向に平行な軸線回りで前記ストッパ部材に対して回転可能に連結され、かつ、前記ブラケット部材に前記軸線回りで回動操作可能に組み付けられた操作部材とを有し、前記ブラケット部材と前記操作部材とには、前記操作部材を回動操作することによって、前記ストッパ部材を前記圧接ポジションと前記離反ポジションとに切り替え保持させるためのカム座とカム作用面とが形成してある。
【０００６】
そして、前記ブラケット部材は、ストッパ部材をガタツキのない嵌合状態に収納するストッパケースと、このストッパケースのケース口部から側方へ向けて張出形成された伸縮部材への取付フランジ部とを有し、且つストッパケースのケース底部にはストッパ部材の圧接側端部を出退自在にさせるストッパ通孔が形成されていると共に、ストッパケースから取付フランジ部が張り出す根本部には前記操作部材を前記ストッパ部材の圧接ポジションと離反ポジションとに切り替えるカム座が形成されている。
また前記ストッパ部材と操作部材とはブラケット部材のストッパケースに対してケース口部内を通る領域で回転自在に連結されており、このうち操作部材のストッパ部材への連結部分には、所定角度の回動後と回動前とで上記ケース口部に対する嵌合と非嵌合とを切替可能とする落ち込み用段部が設けられていると共に、この落ち込み用段部の側縁にケース口部のカム座と当接するカム作用面が形成されている。
【０００７】
このように、本発明に係るロック装置において採用するブラケット部材は、ストッパケースのケース口部でカム座を形成したものであり、また操作部材には、このブラケット部材に対応させるべく上記ケース口部に嵌合可能となる落ち込み段部を設け、且つその側縁にカム作用面（乗り上げ面）を形成させている。
そのため、操作部材を回動操作すると、この操作部材の落ち込み用段部がブラケット部材のケース口部に嵌合して落ち込んだり、非嵌合によって乗り上げたりするようになる。このことが、ブラケット部材に対する操作部材の出入り動作となるわけで、この操作部材の出入り動作に伴い、操作部材に連結されているストッパ部材がブラケット部材に設けられたケース底部のストッパ通孔内を介して出退するようになるのである。
【０００８】
従って、このようなストッパ部材の出退動作によって、伸縮部材相互間が伸縮動作をロックされたり（突出時）、アンロックされたり（退入時）することになる。ここにあって操作者は操作部材を単に回動操作（１段操作）するだけであり、いちいち操作部材を引き出して回す２段操作は不要である。従って、操作が極めて容易で煩わしさは解消される。
またブラケット部材は、ストッパケースと取付フランジ部とを有し、この取付フランジはストッパケースのケース口部から張出形成された簡潔構造になっているので、板金の折り曲げ加工等によって簡単に製作することができる。そのため、ロック装置全体として、小型化、構造簡潔化、低コスト化等が図れることになる。
【０００９】
ストッパ部材には側面を貫通する状態でバネを嵌め込むバネ収容部が設けられ、ブラケット部材にはストッパ部材の上記バネ収容部を通り抜ける状態でバネの後端部を受けるバネ受け部材が設けられていると共に、ケース側面にはバネを装着するための切欠が形成されている。
このような構造を採用することでブラケット部材に対する操作部材及びストッパ部材の組み込みと、ブラケット部材へ組み込んだストッパ部材に対するバネの組み込みとが簡単且つ正確に行えるものとなる。従ってこの点もロック装置としての製作上の低コスト化に繋がり好適となる。
【００１０】
また、ブラケット部材は、板素材の中央部をコ字状に折曲し、更に両端部をそれぞれ外フランジ状に折曲することによって全体が断面ハット形に形成されたものとすればよい。この場合、コ字状の折曲部分でストッパケースが形成され、フランジ状折曲部分で一対の取付フランジ部が形成される。
このようにすることで、ブラケット部材をプレス成形でき、徹底した低コスト化が図れるものとなる。
【発明の効果】
【００１１】
本発明に係る伸縮機構のロック装置では、操作が容易であると共に、小型化、構造簡潔化、低コスト化等が図れるようになっている。
【発明を実施するための最良の形態】
【００１２】
以下、本発明の実施の形態を、図面に基づき説明する。
図１乃至図１５は、本発明に係る伸縮機構用ロック装置１の一実施形態を示している。このロック装置１は、図１６及び図１７に例示する伸縮足場２などのように、相対的に伸縮自在に組み合わされた一対の伸縮部材（足場板本体）３，４を有する伸縮機構５に対して採用される。
両伸縮部材３，４は互いの伸縮時にすれ違い状に対向する面を有しており、これら対向面間において一方の伸縮部材３から他方の伸縮部材４へ向く状態でロック装置１を取り付けるようにする。すなわち、このロック装置１により、対向相手側となる伸縮部材４への圧接状態を生じさせたときに両伸縮部材３，４を所定の伸縮位置で固定し、また対向相手側となる伸縮部材４への圧接状態を解除させることによって両伸縮部材３，４の固定を解除して伸縮自在にさせるのである。
【００１３】
なお、このロック装置１にとって対向相手側となる伸縮部材４には、伸縮方向に沿って長いラック６をラック歯がロック装置１へ向くようにして設け、ロック装置１においても、ラック６に噛合する歯を設けておくのが好適とされている。
図１及び図２（Ａ）、図２（Ｂ）はロック装置１の分解状態を示したものであり、図２（Ｃ）及び図３乃至図６はロック装置１の組立状態を示したものである。これらの図から明らかなように、このロック装置１は、ストッパ部材１０とブラケット部材１１とバネ１２と操作部材１３とを有している。
【００１４】
ブラケット部材１１に対してストッパ部材１０が収納され、このストッパ部材１０と操作部材１３とが回転自在に連結されている。またブラケット部材１１に収納された状態のストッパ部材１０に対してバネ１２が組み込まれており、このバネ１２により、ストッパ部材１０はその一端側（操作部材１３とは反対側）をブラケット部材１１から突出させるように付勢されている。
ストッパ部材１０（図７及び図８を併せて参照）は縦長の直方体状に形成されたものであって、その長手方向一端部に操作部材１３との連結部１６が設けられ、他端部に圧接相手となる伸縮部材４へ向けた圧接側端部１７が設けられている。連結部１６は、逆Ｔ字状の開口のまま直方体形状を通り抜ける溝１６ａによって形成されている。また上記したように伸縮部材４にラック６が設けられている点に対応するため、この圧接側端部１７にはラック６のラック歯に噛合するための歯１７ａが設けられている。
【００１５】
このストッパ部材１０には直方体形状の側面を貫通する状態でバネ収容部２０が設けられており、このバネ収容部２０内へバネ１２を嵌め込むことができるようになっている。またこのバネ収容部２０に内部連通しつつ、このバネ収容部２０が貫通するのと同じ方向で直方体形状の側面を通り抜ける凸状溝２１が設けられている。この凸状溝２１は半円状の開口形状に形成されており、後述するバネ受け部材３０を嵌め入れ可能としてある。
ブラケット部材１１（図９乃至図１１を併せて参照）はストッパケース２４と取付フランジ部２５とを有している。ストッパケース２４に対し、その一端部から外側方へ張り出す状態で取付フランジ部２５が設けられており、この取付フランジ部２５には通孔２５ａが設けられている。
【００１６】
従って、ロック装置１を伸縮部材３（図１７参照）へ取り付けるときには、伸縮部材３にストッパケース２４を嵌め入れる開口を設けておき、この開口内へストッパケース２４を嵌め込んだ状態で取付フランジ部２５を伸縮部材３の外面へ当接させ、そのうえでこの取付フランジ部２の通孔２５ａへネジやリベット等（図示略）を差し込んで伸縮部材３へ固定することになる。
なお、本実施形態では取付フランジ部２５がストッパケース２４を中央に挟んだ両外側で対を成して設けられ、ブラケット部材１１の全体が断面ハット形を呈するようにしてある。またこのブラケット部材１１は、金属製の薄い板素材（鋼板、鉄板、ステンレス板、黄銅板、アルミ板等）をプレス成形したものとしてあり、板素材の中央部をコ字状に折曲することによってストッパケース２４を形成し、また板素材の両端部をそれぞれ外フランジ状に折曲することによって一対の取付フランジ部２５を形成してある。
【００１７】
ストッパケース２４は、対向するケース側面２４ａの内面間隔（コ字状の内法寸法）でストッパ部材１０をガタツキのない嵌合状態に収納できるように形成されたもので、ケース底部２４ｂには、その中央部となる位置を開口させたストッパ通孔２６が形成されている。このストッパ通孔２６は、ブラケット部材１１（ストッパケース２４）内へ収容されるストッパ部材１０をストッパケース２４の深さ方向で移動させ、このときストッパ部材１０の圧接側端部１７をケース底２４ｂから出退させるようにするためのものである。
ケース側面２４ａには、ストッパ通孔２６と連通させた状態（即ち、ケース底２４ｂへ向けて解放させる状態）で切欠２７が形成されている。この切欠２７は、ブラケット部材１１（ストッパケース２４）内へストッパ部材１０を収納させたうえで、このストッパ部材１０へバネ１２を装着するときの利便性（装着しやすさ）を考慮して設けられたものである。
【００１８】
更にケース側面２４ａには切欠２７とは連通せず、独立した開口となる軸止め孔２８が設けられている。この軸止め孔２８は両側のケース側面２４ａ間で一軸状の配置とされており、両軸止め孔２８間で丸軸により形成されたバネ受け部材３０を架設保持できるようになっている。
このバネ受け部材３０は、ストッパ部材１０に対してバネ１２が装填されたときに、このバネ１２の一端部を受けるためのもので、ストッパ部材１０のバネ収容部２０を通り抜けるようになっている。
【００１９】
ストッパケース２４に対し、取付フランジ部２５が側方へ向けて張出形成された部分はストッパケース２４のケース口部２４ｃに相当する。このケース口部２４ｃにあって、取付フランジ部２５が張り出す根本部にはカム座３５（図１１参照）が形成されている。このカム座３５は、操作部材１３を落ち込みポジションとせり出しポジションとに切り替えるためのものである。
操作部材１３（図１２乃至図１５を併せて参照）はストッパ部材１０に対する連結部４０と、ツマミ部４１とを有している。またこの操作部材１３は、これら連結部４０とツマミ部４１との間に設けられた落ち込み用段部４２を有している。
【００２０】
連結部４０は、丸軸首４３の先端で円板ダボ４４が設けられた構造となっており、その断面形状は逆Ｔ字状に形成されている。この逆Ｔ字状断面は、ストッパ部材１０の連結部１６に設けられた逆Ｔ字状開口の溝１６ａにガタツキなく嵌合可能な大きさとされている。従ってこの連結部４０は、ストッパ部材１０の連結部１６（溝１６ａ）に対して横嵌めが可能であって、また嵌めた状態にすれば、丸軸首４３及び円板ダボ４４の形状をしているが故に、これらの中心軸まわりで回転自在となっている。
なお、これらストッパ部材１０と操作部材１３との連結部分は、ブラケット部材１１のストッパケース２４への組み付け時には、丁度そのケース口部２４ｃ内を通る領域となる。
【００２１】
ツマミ部４１は、操作部材１３とストッパ部材１０とを相対回転させる場合にあって、この操作部材１３を摘み易く且つ操作し易くするものであればその形状や大きさは特に限定されるものではない。本実施形態では、連結部４０における丸軸首４３等の中心軸に直交する方向で横長になった直方体状としてある。
落ち込み用段部４２は、ブラケット部材１１のストッパケース２４に対し、そのケース口部２４ｃに嵌合可能な大きさに形成されたものである。但し、連結部４０における丸軸首４３等の中心軸に対して回転対称形など（円形や正方形等）ではなく、操作部材１３が回動操作されるとケース口部２４ｃとは非嵌合になるような形状（本実施形態では長方形）として段部形成されている。
【００２２】
この落ち込み用段部４２において、ケース口部２４ｃに嵌合する状態でこのケース口部２４ｃに平行するようになる両側の側縁には、カム作用面４２ａが形成されている。このカム作用面４２ａは、傾斜面としての乗り上げ面となっており、操作部材１３が回動操作されたときにケース口部２４ｃのカム座３５と当接するようになって、落ち込み用段部４２がケース口部２４ｃへ嵌合したり非嵌合となったりしたりするのを円滑化させる。
なお、このカム作用面４２ａは、操作部材１３の回動操作を９０°の範囲で往復させるように設定される場合であれば、落ち込み用段部４２の両側の側縁に設けるものとする。
【００２３】
このようなことから、本発明に係るロック装置１では、ブラケット部材１１に対してストッパ部材１０を回動操作すると、この操作部材１３は、カム作用面４２ａがブラケット部材１１のカム座３５と当接しつつ、落ち込み用段部４２がケース口部２４ｃに嵌合して落ち込んだり、非嵌合によって乗り上げたりするようになる。
操作部材１３はストッパ部材１０との間で互いの連結部１６，４０を介して連結状態にあり、またストッパ部材１０はバネ収容部２０内でバネ受け部材３０との間に付勢力（弾性圧縮力）を発生させたバネ１２により、ブラケット部材１１に引きつけられた状態を維持しようとしているので、結果として操作部材１３は、落ち込み用段部４２の段部高さ分（ケース口部２４ｃに落ち込む量）に相当して落ち込みポジションとせり出しポジションとに切り替えられることになる。
【００２４】
すなわち、操作部材１３の落ち込み用段部４２がブラケット部材１１のケース口部２４ｃに嵌合した状態が、操作部材１３の落ち込みポジションであり、このときストッパ部材１０は、ブラケット部材１１のケース底部２４ｂに設けられたストッパ通孔２６から圧接側端部１７を突出させた状態となる。この状態がストッパ部材１０による圧接ポジションである。
また、この状態から操作部材１３を回動操作して操作部材１３の落ち込み用段部４２がブラケット部材１１のケース口部２４ｃと非嵌合になる状態が、操作部材１３のせり出しポジションであり、このときストッパ部材１０は、ブラケット部材１１のケース底部２４ｂに設けられたストッパ通孔２６から圧接側端部１７を引き戻させる状態となる。この状態がストッパ部材１０による離反ポジションである。
【００２５】
以上詳説したところから明らかなように、本発明に係るロック装置１では、操作部材１３を回動操作することでストッパ部材１０がブラケット部材１１に設けられたケース底部のストッパ通孔２６内を介して出退し、伸縮機構５の伸縮部材３，４相互間が伸縮動作をロックされたり（突出時）、アンロックされたり（没入時）することになる。ここにあって操作者は操作部材１３を単に回動操作（１段操作）するだけであり、いちいち操作部材１３を引き出して回す２段操作は不要である。従って、操作が極めて容易で煩わしさは解消される。
【００２６】
またブラケット部材１１は、ストッパケース２４と取付フランジ部２５とを有し、この取付フランジ部２５はストッパケース２４のケース口部２４ｃから張出形成された簡潔構造になっているので、板金の折り曲げ加工等によって簡単に製作することができる。そのため、ロック装置１全体として、小型化、構造簡潔化、低コスト化等が図れることになる。
ブラケット部材１１に対する操作部材１３及びストッパ部材１０の組み込みと、ブラケット部材１１へ組み込んだストッパ部材１０に対するバネ１２の組み込みとが簡単且つ正確に行えるので、この点でもロック装置１としての製作上の低コスト化が図られる。
【００２７】
ところで、本発明は、上記実施形態に限定されるものではなく、実施の形態に応じて適宜変更可能である。
例えば、各部材の材質や細部形状、構造などは、本発明の本質を変えない範囲で従来公知の適宜材質、形状、構造に変更可能である。
【図面の簡単な説明】
【００２８】
【図１】本発明に係る伸縮機構用ロック装置に係る一実施形態を示した分解斜視図である。
【図２】（Ａ）は図１に対応した側面図であり（Ｂ）はその次の組立段階を示した側面図であり（Ｃ）は組立後を示した側面図である。
【図３】図２（Ｃ）の拡大図である。
【図４】図３に対応する右側面図である。
【図５】図３に対応する底面図である。
【図６】図３に対応する平面図である。
【図７】図３中からストッパ部材を抽出して示した図である。
【図８】図７に対応する右側面図である。
【図９】図３中からブラケット部材を抽出して示した図である。
【図１０】図９に対応する底面図である。
【図１１】図９に対応する右側面図である。
【図１２】図３中から操作部材を抽出して示した図である。
【図１３】図１２に対応する平面図である。
【図１４】図１２に対応する右側面図である。
【図１５】図１２に対応する底面図である。
【図１６】伸縮機構の一例としての伸縮足場を示した側面図である。
【図１７】図１６のＡ−Ａ線矢視部を拡大して示した図である。
【符号の説明】
【００２９】
１  ロック装置
３  伸縮部材
４  伸縮部材
５  伸縮機構
１０  ストッパ部材
１１  ブラケット部材
１２  バネ
１３  操作部材
２０  バネ収容部
２４  ストッパケース
２４ｂ  ケース底部
２４ｃ  ケース口部
２５  取付フランジ部
２６  ストッパ通孔
２７  切欠
３０  バネ受け部材
３５  カム座
４２  落ち込み用段部
４２ａ  カム作用面
【図１】
2008025192.tif 000003
【図２】
2008025192.tif 000004
【図３】
2008025192.tif 000005
【図４】
2008025192.tif 000006
【図５】
2008025192.tif 000007
【図６】
2008025192.tif 000008
【図７】
2008025192.tif 000009
【図８】
2008025192.tif 000010
【図９】
2008025192.tif 000011
【図１０】
2008025192.tif 000012
【図１１】
2008025192.tif 000013
【図１２】
2008025192.tif 000014
【図１３】
2008025192.tif 000015
【図１４】
2008025192.tif 000016
【図１５】
2008025192.tif 000017
【図１６】
2008025192.tif 000018
【図１７】
2008025192.tif 000019